(57)【特許請求の範囲】
【請求項１】
ワークを搬送する搬送部材と、
前記ワークに供給される電流を切り替えるためのスイッチと、
前記スイッチに当接する当接部材とを備え、
前記スイッチは、前記ワークとともに前記搬送部材により搬送されるように構成され、
前記当接部材は、前記搬送部材に対して予め設定された位置に固定されており、
前記搬送部材による前記ワークの搬送に伴い、前記当接部材に前記スイッチが当接または離間することにより、前記スイッチが切り替えられるように構成されていることを特徴とする給電装置。
【請求項２】
請求項１に記載の給電装置において、
前記スイッチに接続されるとともに、前記ワークに接続される電流制御部をさらに備え、
前記電流制御部は、複数の定電流ダイオードを含み、
前記スイッチは、前記複数の定電流ダイオードの中から１つの定電流ダイオードを選択し、その選択された定電流ダイオードを導通状態にするように構成されていることを特徴とする給電装置。
【請求項３】
請求項１または２に記載の給電装置において、
前記搬送部材は、回転可能に構成されたインデックステーブルを含み、
前記インデックステーブルには、前記ワークが載置される載置部が周方向に間隔を隔てて複数設けられ、
前記載置部毎に前記スイッチが設けられていることを特徴とする給電装置。
【請求項４】
請求項１〜３のいずれか１つに記載の給電装置において、
前記ワークは、照明体を含むことを特徴とする給電装置。
【請求項５】
ワークを搬送する搬送部材と、前記ワークに供給される電流を切り替えるためのスイッチと、前記スイッチに当接する当接部材とを備える給電装置における給電方法であって、
前記スイッチは、前記ワークとともに前記搬送部材により搬送されるように構成され、
前記当接部材は、前記搬送部材に対して予め設定された位置に固定されており、
前記搬送部材により前記ワークを搬送するステップと、
前記ワークの搬送に伴い、前記当接部材に前記スイッチが当接または離間することにより、前記スイッチが切り替えられるステップとを備えることを特徴とする給電方法。
【発明の詳細な説明】
【技術分野】
【０００１】
本発明は、給電装置および給電方法に関する。
【背景技術】
【０００２】
従来、ワークを検査する検査装置が知られている（たとえば、特許文献１参照）。
【０００３】
特許文献１には、バックライトパネルを検査する検査装置が開示されている。このような検査装置では、バックライトパネルに電流が供給されることにより、そのバックライトパネルが点灯した状態で検査が行われるようになっている。
【先行技術文献】
【特許文献】
【０００４】
【特許文献１】特開２００７−３３３４４９号公報
【発明の概要】
【発明が解決しようとする課題】
【０００５】
ここで、バックライトパネルに対して種類の異なる複数の検査を行う場合には、各検査に適した電流をバックライトパネルに供給する必要がある。したがって、バックライトパネルに供給される電流を切り替える必要が生じる。
【０００６】
本発明は、上記の課題を解決するためになされたものであり、本発明の目的は、ワークに供給される電流を容易に切り替えることが可能な給電装置および給電方法を提供することである。
【課題を解決するための手段】
【０００７】
本発明による給電装置は、ワークを搬送する搬送部材と、ワークに供給される電流を切り替えるためのスイッチと、スイッチに当接する当接部材とを備える。スイッチは、ワークとともに搬送部材により搬送されるように構成されている。当接部材は、搬送部材に対して予め設定された位置に固定されている。そして、給電装置は、搬送部材によるワークの搬送に伴い、当接部材にスイッチが当接または離間することにより、スイッチが切り替えられるように構成されている。
【０００８】
このように構成することによって、搬送部材によるワークの搬送に伴い、スイッチが自動的に切り替えられるので、ワークに供給される電流を容易に切り替えることができる。
【０００９】
上記給電装置において、スイッチに接続されるとともに、ワークに接続される電流制御部をさらに備え、電流制御部は、複数の定電流ダイオードを含み、スイッチは、複数の定電流ダイオードの中から１つの定電流ダイオードを選択し、その選択された定電流ダイオードを導通状態にするように構成されていてもよい。
【００１０】
上記給電装置において、搬送部材は、回転可能に構成されたインデックステーブルを含み、インデックステーブルには、ワークが載置される載置部が周方向に間隔を隔てて複数設けられ、載置部毎にスイッチが設けられていてもよい。
【００１１】
上記給電装置において、ワークは、照明体を含んでいてもよい。
【００１２】
また、本発明による給電方法は、ワークを搬送する搬送部材と、ワークに供給される電流を切り替えるためのスイッチと、スイッチに当接する当接部材とを備える給電装置における給電方法である。スイッチは、ワークとともに搬送部材により搬送されるように構成されている。当接部材は、搬送部材に対して予め設定された位置に固定されている。そして、給電方法は、搬送部材によりワークを搬送するステップと、ワークの搬送に伴い、当接部材にスイッチが当接または離間することにより、スイッチが切り替えられるステップとを備える。
【発明の効果】
【００１３】
本発明の給電装置および給電方法によれば、ワークに供給される電流を容易に切り替えることができる。
【図面の簡単な説明】
【００１４】
【図１】本発明の一実施形態による検査装置の概略構成を示した斜視図である。
【図２】図１の検査装置を示した底面図である。
【図３】図１の検査装置の載置部を拡大して示した斜視図である。
【図４】図１の検査装置の載置部を拡大して底面側から見た斜視図である。
【図５】図１の検査装置の載置部の回路構成を示した図であって、載置部が第１検査領域に位置するときの状態を示した図である。
【図６】図１の検査装置の載置部の回路構成を示した図であって、載置部が第２検査領域に位置するときの状態を示した図である。
【図７】図１の検査装置の載置部の回路構成を示した図であって、載置部が第３検査領域に位置するときの状態を示した図である。
【図８】検査装置により検査される照明体を拡大して示した斜視図である。
【発明を実施するための形態】
【００１５】
以下、本発明の一実施形態について図面を参照して説明する。なお、以下では、給電装置の一例である検査装置に本発明を適用した場合について説明する。
【００１６】
−構成−
まず、図１〜図８を参照して、本発明の一実施形態による検査装置１００の構成について説明する。この検査装置１００は、たとえば、照明体２００に対して種類の異なる複数の検査を行うように構成されている。
【００１７】
ここで、照明体２００は、たとえば、液晶表示装置等に用いられる面状の照明体である。この照明体２００は、図８に示すように、端部からＦＰＣ（フレキシブルプリント配線板）２０１が引き出されており、そのＦＰＣ２０１には端子２０２が設けられている。照明体２００は、端子２０２を介して電流が供給されることにより点灯するように構成されている。なお、照明体２００は、本発明の「ワーク」の一例である。
【００１８】
検査装置１００は、図１に示すように、回転可能に構成されたインデックステーブル１と、インデックステーブル１の下方に配置される当接部材２ａおよび２ｂ（図２参照）とを備えている。なお、インデックステーブル１は、本発明の「搬送部材」の一例である。
【００１９】
インデックステーブル１には、照明体２００が載置される載置部１０が周方向に間隔を隔てて複数設けられている。本実施形態では、載置部１０が１２個設けられている。そして、検査装置１００では、インデックステーブル１により照明体２００を間欠搬送しながら、その照明体２００に対して検査を行うようになっている。
【００２０】
検査装置１００には、検査が終了された照明体２００を取り外し、新たに検査される照明体２００を載置するためのセット領域Ｒｓが形成されている。また、検査装置１００には、第１検査が行われる第１検査領域Ｒ１と、第２検査が行われる第２検査領域Ｒ２と、第３検査が行われる第３検査領域Ｒ３とが形成されている。すなわち、検査装置１００は、３種類の検査を行うように構成されている。たとえば、第１検査〜第３検査は、それぞれ、ＬＥＤ（発光ダイオード）の故障検査、点灯検査および輝度検査である。
【００２１】
各載置部１０は、図３に示すように、照明体２００が載置される載置台１１と、照明体２００の端子２０２（図８参照）を押さえる押さえレバー１２と、押さえレバー１２を昇降させる昇降機構１３と、照明体２００に供給される電流を制御するための電流制御基板１４と、照明体２００に供給される電流を切り替えるためのスイッチユニット１５（図４参照）とを含んでいる。
【００２２】
載置台１１には、照明体２００に電流を供給するための本体側端子（図示省略）が設けられ、その本体側端子は電流制御基板１４に接続されている。載置台１１に照明体２００が載置されたときに、照明体２００の端子２０２が載置台１１の本体側端子の上方に配置されるようになっている。
【００２３】
押さえレバー１２は、照明体２００の端子２０２を載置台１１の本体側端子に接触させた状態で、照明体２００の端子２０２を固定するために設けられている。押さえレバー１２は、昇降機構１３に連結され、その昇降機構１３によって昇降するように構成されている。
【００２４】
具体的には、押さえレバー１２は、載置部１０がセット領域Ｒｓに位置するときに上昇するとともに、載置部１０がセット領域Ｒｓ以外の領域に位置するときに下降するようになっている。すなわち、セット領域Ｒｓ以外の領域に載置部１０が位置するときに、押さえレバー１２が照明体２００の端子２０２を固定し、セット領域Ｒｓに載置部１０が位置するときに、押さえレバー１２が照明体２００の端子２０２を解放するようになっている。これにより、セット領域Ｒｓ以外の領域では、照明体２００の端子２０２が載置台１１の本体側端子に接続されることにより、電流を供給して照明体２００を点灯させることが可能である。また、セット領域Ｒｓでは、照明体２００の端子２０２が解放されるため、検査が終了された照明体２００を取り外し、新たに検査される照明体２００を載置することが可能である。
【００２５】
電流制御基板１４は、照明体２００に供給される電流を調整するために設けられている。この電流制御基板１４には、図５〜図７に示すように、載置部１０に載置された照明体２００が接続されるとともに、電源１６が接続されている。なお、各載置部１０にそれぞれ電源１６が設けられていてもよいし、各載置部１０が共用する１つの電源１６が設けられていてもよい。また、電流制御基板１４は、本発明の「電流制御部」の一例である。
【００２６】
また、電流制御基板１４は、３つの定電流ダイオード１４ａ〜１４ｃを有する。定電流ダイオード１４ａは、第１検査を行うために設けられ、照明体２００に供給される電流が第１検査に適した第１電流値になるように構成されている。定電流ダイオード１４ｂは、第２検査を行うために設けられ、照明体２００に供給される電流が第２検査に適した第２電流値になるように構成されている。定電流ダイオード１４ｃは、第３検査を行うために設けられ、照明体２００に供給される電流が第３検査に適した第３電流値になるように構成されている。
【００２７】
なお、第１電流値〜第３電流値はそれぞれ異なる値である。すなわち、定電流ダイオード１４ａ〜１４ｃではピンチオフ電流の値が異なっている。また、定電流ダイオード１４ａ〜１４ｃは、負極ラインに配置され、アノードが照明体２００に接続されている。
【００２８】
スイッチユニット１５は、インデックステーブル１の下面に取り付けられ、インデックステーブル１と一体的に回転するように構成されている。スイッチユニット１５は、電流制御基板１４の下方に配置され、その電流制御基板１４に接続されている。そして、スイッチユニット１５は、３つの定電流ダイオード１４ａ〜１４ｃの中から１つの定電流ダイオード１４ａ、１４ｂまたは１４ｃを選択し、その選択された定電流ダイオード１４ａ、１４ｂまたは１４ｃを導通状態にするように構成されている。
【００２９】
また、スイッチユニット１５は、２つのスイッチ１５１および１５２を有する。スイッチ１５１は、共通端子１５１ａがスイッチ１５２に接続され、常閉端子１５１ｂが定電流ダイオード１４ａのカソードに接続され、常開端子１５１ｃが定電流ダイオード１４ｂのカソードに接続されている。スイッチ１５２は、共通端子１５２ａが電流制御基板１４を介して電源１６の負極に接続され、常閉端子１５２ｂがスイッチ１５１の共通端子１５１ａに接続され、常開端子１５２ｃが定電流ダイオード１４ｃのカソードに接続されている。
【００３０】
したがって、スイッチ１５１および１５２が操作されていないときには、図５に示すように、共通端子１５１ａと常閉端子１５１ｂとが接続されるとともに、共通端子１５２ａと常閉端子１５２ｂとが接続されており、定電流ダイオード１４ａが導通状態になる。そして、スイッチ１５１が操作されたとき（レバー１５１ｄ（図４参照）が押されたとき）には、図６に示すように、共通端子１５１ａと常開端子１５１ｃとが接続されることにより、定電流ダイオード１４ｂが導通状態になる。また、スイッチ１５２が操作されたとき（レバー１５２ｄ（図４参照）が押されたとき）には、図７に示すように、共通端子１５２ａと常開端子１５２ｃとが接続されることにより、定電流ダイオード１４ｃが導通状態になる。
【００３１】
当接部材２ａ（図２参照）は、スイッチ１５１のレバー１５１ｄに当接してそのレバー１５１ｄを押すために設けられている。この当接部材２ａは、インデックステーブル１の下方に配置されるとともに、インデックステーブル１に対して予め設定された位置に固定されている。具体的には、当接部材２ａは、第２検査領域Ｒ２に配置されている。これにより、第２検査領域Ｒ２に位置する載置部１０のレバー１５１ｄが当接部材２ａに当接されるのに対し、第２検査領域Ｒ２以外の領域に位置する載置部１０のレバー１５１ｄは当接部材２ａと離間している。なお、当接部材２ａは、全てのレバー１５２ｄに対して当接しないように設けられており、スイッチ１５２に対しては作用しない。
【００３２】
当接部材２ｂ（図２参照）は、スイッチ１５２のレバー１５２ｄに当接してそのレバー１５２ｄを押すために設けられている。この当接部材２ｂは、インデックステーブル１の下方に配置されるとともに、インデックステーブル１に対して予め設定された位置に固定されている。具体的には、当接部材２ｂは、第３検査領域Ｒ３に配置されている。これにより、第３検査領域Ｒ３に位置する載置部１０のレバー１５２ｄが当接部材２ｂに当接されるのに対し、第３検査領域Ｒ３以外の領域に位置する載置部１０のレバー１５２ｄは当接部材２ｂと離間している。なお、当接部材２ｂは、全てのレバー１５１ｄに対して当接しないように設けられており、スイッチ１５１に対しては作用しない。
【００３３】
−動作−
次に、図１〜図８を参照して、本実施形態による検査装置１００の動作について説明する。なお、以下では、所定の照明体２００がセット領域Ｒｓの載置部１０に載置されてから、その照明体２００の検査が終了されて取り外されるまでの一連の流れについて説明する。
【００３４】
まず、図１に示すように、新たに検査される所定の照明体２００がセット領域Ｒｓの載置部１０に載置される。そして、インデックステーブル１が所定の角度分だけＳ方向に回動される。たとえば、インデックステーブル１が３０度回動される。これにより、押さえレバー１２（図３参照）が照明体２００の端子２０２（図８参照）を固定するため、所定の照明体２００に対して給電可能な状態になる。
【００３５】
その後、インデックステーブル１が所定の角度分ずつＳ方向に回動される。なお、セット領域Ｒｓでは、新たに検査される照明体２００が順次供給されるようになっている。
【００３６】
そして、所定の照明体２００が第１検査領域Ｒ１に到達すると、所定の照明体２００に対して第１検査が行われる。このとき、第１検査領域Ｒ１では、レバー１５１ｄ（図４参照）が当接部材２ａ（図２参照）と離間するとともに、レバー１５２ｄ（図４参照）が当接部材２ｂ（図２参照）と離間している。このため、図５に示すように、電源１６と照明体２００との間に接続される定電流ダイオード１４ａが導通状態になる。これにより、第１検査領域Ｒ１では、所定の照明体２００に第１電流値の電流が供給されている。すなわち、第１検査領域Ｒ１では、第１検査に適した第１電流値の電流が所定の照明体２００に供給され、その状態で第１検査が行われる。
【００３７】
その後、第１検査が終了されると、インデックステーブル１が所定の角度分ずつＳ方向に回動される。
【００３８】
そして、所定の照明体２００が第２検査領域Ｒ２に到達すると、所定の照明体２００に対して第２検査が行われる。このとき、第２検査領域Ｒ２では、レバー１５１ｄが当接部材２ａに当接し、その当接部材２ａによりレバー１５１ｄが押し込まれる。なお、レバー１５２ｄは当接部材２ｂと離間したままである。このため、図６に示すように、電源１６と照明体２００との間に接続される定電流ダイオード１４ｂが導通状態になる。これにより、第２検査領域Ｒ２では、所定の照明体２００に第２電流値の電流が供給される。すなわち、第２検査領域Ｒ２では、第２検査に適した第２電流値の電流が所定の照明体２００に供給され、その状態で第２検査が行われる。
【００３９】
その後、第２検査が終了されると、インデックステーブル１が所定の角度分ずつＳ方向に回動される。このとき、レバー１５１ｄが当接部材２ａから離間するので、スイッチユニット１５は図５に示す状態に戻る。
【００４０】
そして、所定の照明体２００が第３検査領域Ｒ３に到達すると、所定の照明体２００に対して第３検査が行われる。このとき、第３検査領域Ｒ３では、レバー１５２ｄが当接部材２ｂに当接し、その当接部材２ｂによりレバー１５２ｄが押し込まれる。なお、レバー１５１ｄは当接部材２ａと離間したままである。このため、図７に示すように、電源１６と照明体２００との間に接続される定電流ダイオード１４ｃが導通状態になる。これにより、第３検査領域Ｒ３では、所定の照明体２００に第３電流値の電流が供給される。すなわち、第３検査領域Ｒ３では、第３検査に適した第３電流値の電流が所定の照明体２００に供給され、その状態で第３検査が行われる。
【００４１】
その後、第３検査が終了されると、インデックステーブル１が所定の角度分ずつＳ方向に回動される。このとき、レバー１５２ｄが当接部材２ｂから離間するので、スイッチユニット１５は図５に示す状態に戻る。
【００４２】
そして、所定の照明体２００がセット領域Ｒｓに到達すると、昇降機構１３（図３参照）により押さえレバー１２が上昇され、照明体２００の端子２０２が解放される。これにより、所定の照明体２００を取り外し可能な状態になる。そして、第１検査〜第３検査が終了された所定の照明体２００が取り外される。
【００４３】
−効果−
本実施形態では、上記のように、インデックステーブル１による照明体２００の搬送に伴い、当接部材２ａ（２ｂ）に対して当接または離間するスイッチ１５１（１５２）を設けることによって、インデックステーブル１による照明体２００の搬送に伴い、スイッチ１５１（１５２）が自動的に切り替えられるので、照明体２００に供給される電流を容易に切り替えることができる。これにより、第１検査領域Ｒ１では、第１検査に適した第１電流値で給電し、第２検査領域Ｒ２では、第２検査に適した第２電流値で給電し、第３検査領域Ｒ３では、第３検査に適した第３電流値で給電することができる。したがって、検査装置１００では、種類の異なる３つの検査を適切に行うことができる。
【００４４】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００４５】
たとえば、本実施形態では、検査装置１００に本発明を適用する例を示したが、これに限らず、検査装置以外のその他の給電装置に本発明を適用してもよい。
【００４６】
また、本実施形態では、照明体２００を検査する検査装置１００に本発明を適用する例を示したが、これに限らず、照明体以外を検査する検査装置に本発明を適用してもよい。
【００４７】
また、本実施形態では、２つのスイッチ１５１および１５２を設けて電流値を３段階で切り替える例を示したが、これに限らず、スイッチを１つだけ設けて電流値を２段階で切り替えるようにしてもよい。また、スイッチを３つ以上設けて電流値をより多段階で切り替えるようにしてもよい。
【００４８】
また、本実施形態では、スイッチ１５１が、共通端子１５１ａと常閉端子１５１ｂと常開端子１５１ｃとを有する例を示したが、これに限らず、スイッチの形式はどのようなものであってもよい。なお、スイッチ１５２についても同様である。
【００４９】
また、本実施形態では、検査を行わないときにも照明体２００に第１電流値の電流が供給される例を示したが、これに限らず、検査を行わないときに照明体に電流を供給しないようにしてもよい。
【００５０】
また、本実施形態では、搬送部材の一例としてインデックステーブル１を示したが、これに限らず、搬送部材がワークを直線的に搬送するようにしてもよい。
【００５１】
また、本実施形態では、載置部１０が１２個設けられる例を示したが、これに限らず、載置部の数はいくつであってもよい。
【産業上の利用可能性】
【００５２】
本発明は、ワークに給電する給電装置および給電方法に利用可能である。
【符号の説明】
【００５３】
１      インデックステーブル（搬送部材）
２ａ    当接部材
２ｂ    当接部材
１０    載置部
１４    電流制御基板（電流制御部）
１４ａ  定電流ダイオード
１４ｂ  定電流ダイオード
１４ｃ  定電流ダイオード
１００  検査装置（給電装置）
１５１  スイッチ
１５２  スイッチ
２００  照明体（ワーク）
【図１】
0006390355.tif 000002
【図２】
0006390355.tif 000003
【図３】
0006390355.tif 000004
【図４】
0006390355.tif 000005
【図５】
0006390355.tif 000006
【図６】
0006390355.tif 000007
【図７】
0006390355.tif 000008
【図８】
0006390355.tif 000009